(57)【要約】本発明は、窒素供給源、酸素の非塩供給源および界面活性剤を含む、におい制御組成物を提供する。該組成物は、好気性活性の有意な刺激を得るのに十分な濃度でバイオマスに加える。好ましい組成物は、硝酸アンモニウムおよび尿素の少なくとも１つ、並びに硝酸カルシウムを含み、そしてより好ましい組成物はまた、硝酸カリウムを含む。関連する方法は、下水および他の流動性物質、空気、並びに固体の表面から発散する広範囲のにおいを処理する際の該組成物の使用を含む。【特許請求の範囲】
【請求項１】
窒素供給源、酸素の非塩供給源および界面活性剤を水溶液中で組み合わせることを含む、におい制御組成物の製造法。
【請求項２】
窒素供給源は硝酸塩を含む、請求項１に記載の方法。
【請求項３】
硝酸塩は硝酸アンモニウムを含む、請求項２に記載の方法。
【請求項４】
硝酸塩は硝酸カルシウムおよび硝酸カリウムの少なくとも１つを含む、請求項２に記載の方法。
【請求項５】
窒素供給源は尿素である、請求項１に記載の方法。
【請求項６】
酸素供給源は弱く結合している酸素を含む、請求項１に記載の方法。
【請求項７】
界面活性剤は、ノニル−フェニル−エトキシ化化合物を含む、請求項１に記載の方法。
【請求項８】
界面活性剤は非イオン性である、請求項１に記載の方法。
【請求項９】
請求項１に記載のにおい制御組成物を、該組成物はにおいを制御する際に効力を有すると記載するラベルを有するパッケージ中にパッケージし；そして、売り物として該パッケージを供することを含む、マーケティング法。
【請求項１０】
ある量の請求項１に記載のにおい制御組成物をある量の下水に加えることを含む、下水処理施設内のにおいを制御する方法。
【請求項１１】
下水をパイプによって運び、そしてある量の該下水に対するある量のにおい制御組成物が少なくとも１週間の期間にわたって、該パイプ中のＦＯＧ（脂肪、油およびグリース）の有意な減少を与えるのに十分である、請求項１０に記載の方法。
【請求項１２】
ある量の請求項１に記載のにおい制御組成物を空気中にスプレーすることを含む、大量の空気中のにおいを制御する方法。
【請求項１３】
大量の空気中のにおいを制御する方法であって、ある量の請求項１に記載のにおい制御組成物をサイズが少なくとも２ミクロンである粒子を含有する乾燥霧の形態で空気中にスプレーすることを含む、該方法。
【請求項１４】
ある量の請求項１に記載のにおい制御組成物を物の固体表面上に適用することを含む、該物から発散するにおいを制御する方法。
【請求項１５】
物はネコのわらくずである、請求項１４に記載の方法。
【請求項１６】
バイオマス中の通性細菌の好気性活性を刺激する方法であって、ある量の請求項１に記載のにおい制御組成物を、好気性活性の有意な刺激を得るのに十分な濃度で該バイオマスに加えることを含む、該方法。
【請求項１７】
請求項１に記載のにおい制御組成物を含む、におい制御製品。
【請求項１８】
硝酸アンモニウムおよび尿素の少なくとも１つ；硝酸カルシウム；および硝酸カリウムを含む、におい制御製品。
【請求項１９】
更に少なくとも０．００１重量％の界面活性剤を含む、請求項１８に記載のにおい制御製品。
【請求項２０】
硝酸アンモニウムおよび硝酸カルシウムの少なくとも１つは少なくとも２乾燥重量％を含む、請求項１８に記載のにおい制御製品。
【請求項２１】
少なくとも１つの尿素は該製品の少なくとも２乾燥重量％を含む、請求項１８に記載のにおい制御製品。
【請求項２２】
硝酸カリウムは該製品の少なくとも０．０１乾燥重量％を含む、請求項１８に記載のにおい制御製品。
【発明の詳細な説明】
【発明の詳細な説明】
【０００１】
(背景技術)
社会は、絶えず不快なにおい(odor)と闘おうと努めている。それらのにおいの供給源は、廃棄物が貯蔵されている地域；研究所、他の商業地域または燃焼プロセス；海産物業または他の加工処理の地域；農場または動物が収容されている他の地域；並びに、便所および多数の他の公共領域、から発散される不快なにおいと、多数ある。不快なにおいはまた、個人のヒトの活動（例えば、喫煙および洗浄用製品の使用）によっても通常発生する。
【０００２】
においと闘う様々な方法が知られる。最も簡便な方法は、芳香または他の強いにおいを用いて、不快なにおいをごまかしたりまたは包み隠すことを含む。吸着によってにおいを中和する重曹および活性炭などの化合物を使用することも知られる。残念ながら、それらの場合の効果は、においのほんの一時的な減少である。加えて、上記の方法のいずれも、非常に強かったりまたは長くたたずむ(lingering)におい（例えば、下水またはわらくず(litter)から発散するにおい）に対して十分に有効でない。
【０００３】
別方法は、化学的なまたは生物学的な方法を用いて、においの組成物を変えることである。例えば、胸がむかむかするようなにおいの化合物は、化学的に還元したりまたは酸化して不快でない形態とすることができる場合がある。悪臭を引き起こす細菌を殺したりまたは失活するために、殺菌性薬物を使用することも知られる。なお更に、においのある化合物をにおいのない化合物に代謝する酵素を使用することが知られる。残念ながら、これらの方法でさえも、常に有効でなかったり、または少なくともコスト上効率的なパラメータ内にはない。
【０００４】
廃棄物の細菌による分解の有効性は、該細菌の増殖が促進され得る大きさにいくらか依存する。例えば、廃棄物処理施設は、好気性または嫌気性の消化槽(digester)のいずれかを用いて汚泥を減少させることが多く、それ以外には該環境に戻すための廃棄物を製造する。該好気性消化槽は酸素の供給源を必要とし、このものはバブルされた空気、または他の通気法もしくは混合法として加えることができる。該消化槽中での該細菌の作用はまた、増殖因子の添加によって促進することもできる。
【０００５】
ヒュニフォード(Hunniford)らによる米国特許第4911843号（1990年5月）（これは、RE36651（2000年4月）およびRE37181（2001年5月）として再発行）は、溶解した硫化水素を含有する下水システム、廃棄処理施設および他の産業廃棄物の利用法への、硝酸ナトリウム水溶液による硝酸塩の添加は、硫化水素を除去したりまたは実質的に減少し、並びに他の硫黄含有化合物に関係する他の「少数の」においを除去する際に有効であり得ると教示している。該理論とは、硝酸塩の添加により酸素供給源を与え、それにより、硫化水素としてタイアップしている硫黄をそれらの代謝において使用する天然に存在する細菌の増殖を促進することである。該ヒュニフォードの方法は、バイオオキシド(Bioxide)（登録商標）として知られる製品で商業的に成功しており、これは消化槽、汚水溜めなどへの添加用に、Ｕ.Ｓ.フィルター社(Filter Corporation)によって販売されている。
【０００６】
該バイオオキシド(登録商標）は、ほとんど硝酸カルシウムである。該製品は多数の廃棄物からの硫化水素の産生を減少する際に疑いなく有効であるが、そのものはヒトが好むかもしれないほどには速く作用せず、またある場合にはそのものが有効となるのにかなりの高濃度で存在しなければいけない。従って、においを減少するための化合物および方法の改善に対する要求がなお存在する。
【０００７】
（概要）
本発明は、窒素供給源、酸素の非塩供給源および界面活性剤を含む組成物、並びににおいを処理しおよびバイオマス中での細菌の生物学的な刺激(biostimulation)を与えるためのそれら組成物を製造し、マーケティングしおよび使用するための様々な方法を提供する。
【０００８】
好ましい組成物は、硝酸アンモニウムおよび尿素の少なくとも１つ、並びに硝酸カルシウムを含む。より好ましい組成物はまた、硝酸カリウムおよび／または界面活性剤をも含む。
【０００９】
該におい制御組成物の好ましい製造法は、窒素供給源、酸素の非塩供給源および界面活性剤の全てを水溶液中で組み合わせることを含む。該窒素供給源は好ましくは硝酸塩または尿素であり、そして酸素供給源は好ましくは弱く結合した(associated)酸素である。該におい制御組成物は、ノニル−フェニル−エトキシ化(ethoxylated)化合物またはいずれかの他の通常の界面活性剤の少なくとも０．００１重量％を含む。
【００１０】
本明細書に記載する方法は、様々なにおい（これは、下水のにおい、物から発散するにおい、ネコのわらくず(litter)のにおい、および部屋または空気のにおいでさえも含む）を、ある量の該におい制御組成物を該においおよび／または該においの源へ適用することによって処理する。それらのにおいは、様々な方法を用いて処理することができ、該方法は物の表面または空気に、該におい制御組成物を含有するミストまたは乾燥霧をスプレーすることを含む。
【００１１】
細菌の活性を刺激する方法に関して、ある量のにおい制御組成物を、好気性活性の有意な刺激を得るのに十分な濃度でバイオマス中の該細菌に加えることが好ましい。
【００１２】
本発明の様々な物、特徴、態様および利点は、以下の本発明の好ましい実施態様の詳細な記載からより明白であろう。
【００１３】
（詳細な記載）
基礎となる理論は、バイオマス中の細菌の好気性活性は窒素および酸素の生物学的に利用可能な供給源を加えることによって刺激することができるというものである。それら環境内での細菌の増殖は、所望しない放出（これは、特に硫化水素を含む）を減少する。偏性好気性細菌は明らかにそれらの代謝の性質が変わらないが、通性細菌はそれらがにおいの劣る廃棄物を産生したりおよびバイオマスを分解するような好気性様式にスイッチするよう促進され得る。特に関心あるものは、腸内細菌ファミリーを含む腸内グループ細菌、脱窒細菌および他の種類の通性細菌を挙げられる。ある企図する好気性細菌としては、硝化細菌、硫黄酸化細菌、メタン酸化細菌、シュードモナスなどを含む。好気性活性の増大は、バイオマス中の有機物の分解の促進を生じ得ると企図する。例えば、固形物または汚泥はバイオマス（例えば、下水）中で減少し得る。
【００１４】
（窒素供給源）
窒素が生物学的に利用可能である限り、多数の窒素の供給源を使用することができる。例えば、細菌は硝酸塩、亜硝酸塩、アミノ酸、尿素、尿酸およびクレアチニンを代謝することができると、知られる。好ましい実施態様において、該窒素供給源は硝酸塩または尿素のいずれかであり、その理由はそれらの供給源が比較的に安価であったり、また細菌にとって特に栄養となるからである。硝酸塩について、全ての一般的なおよび構造的に安定な硝酸塩を、それらが通気性および／または好気性の細菌にとって利用可能な窒素供給源を与える限り、使用することができる。硝酸塩のある一般的な例としては、ＨＮＯ３、ＮａＮＯ３、ＬｉＮＯ３、ＫＮＯ３、ＲｂＮＯ３、ＦｒＮＯ３、Ｂｅ(ＮＯ３)２、Ｍｇ(ＮＯ３)２、Ｃａ(ＮＯ３)２、Ｓｒ(ＮＯ３)２、Ｂａ(ＮＯ３)２、Ｒａ(ＮＯ３)２、ＮＨ４ＮＯ３およびＡｇ(ＮＯ３)２を含む。好ましい硝酸塩は、硝酸カリウム、硝酸カルシウムおよび硝酸アンモニウムを含み、その理由はそれらが通気性および／または好気性の細菌にとって更なる栄養を与えるからである。
【００１５】
本発明のにおい制御組成物は、１つだけの窒素供給源（これは、例えば硝酸カリウム、硝酸アンモニウムまたはクレアチニンを含む）を含んでもよい。しかしながら、異なる供給源が異なる細菌によって優位に使用され得るので、様々な窒素供給源の組み合わせが有利であり得る。最も好ましい実施態様において、該におい制御組成物は、硝酸カルシウム、硝酸アンモニウム、硝酸カリウムおよび尿素を含む。
【００１６】
ヒュニフォードらによる特許の方法に反して、我々は該組成物中の窒素のパーセンテージが特に重要でないことを実験的に見出した。我々は、少なくとも５％の水溶液を有する組成物が合理的に有効であり得て、そして１０〜７０％の間の窒素を含有する組成物がより一層有効であることを見出した。使用する窒素供給源の量は、様々な因子（例えば、関与する細菌の種類、温度、においの種類、においの強さ、存在する細菌の量、処置する環境の種類および組成（すなわち、水、下水、空気などの容量）を含む）、並びに機能もし得る様々な他の因子による。我々の現在の好ましいものは、２〜５０％の間の窒素を有する組成物である。尿素を使用する場合には、我々は細菌が約２〜４０％の尿素、より好ましくは約１５〜３０％の尿素を有する組成物中で十分に増殖することを見出した。乾燥重量％について、我々は、有用な製剤は硝酸アンモニウムおよび硝酸カルシウムの少なくとも１つを少なくとも約２％、尿素を少なくとも２％、および硝酸カリウムを少なくとも０．０１％、含むことを見出した。
【００１７】
我々はまた、硝酸アンモニウム、硝酸カルシウムおよび硝酸カリウムの総量が５〜５０重量％の間の量で存在することが有利であることをも見出した。該組成物は５４総重量％の硝酸アンモニウム、硝酸カルシウムおよび硝酸カリウムを含むことが、特に好ましい。特に好ましい製剤の１クラスは、１〜２０重量％、特に１５重量％の硝酸カルシウム、２〜４０重量％、特に３９重量％の硝酸アンモニウム、０．０１〜１２重量％、特に０．１重量％の硝酸カリウム、および２〜３０重量％、特に２０重量％の尿素を含む。別のクラスの好ましい製剤の場合には、該組成物は３０〜６０重量％の硝酸アンモニウム、１０〜３０重量％の硝酸カルシウム、１〜１０重量％の硝酸ナトリウム、５〜１０重量％の尿酸、および１〜１０重量％のグリシンを含む。別のクラスの好ましい製剤は、１０〜４０重量％の硝酸カリウムおよび２〜２０重量％の尿素を含む。
【００１８】
（酸素供給源）
好ましい酸素供給源は、弱く結合した(associated)酸素（これは、通性および好気性の細菌が容易に代謝することができるＯ２以外の酸素を意味すると本明細書において定義する）を有する供給源である。弱く結合した酸素は、共有結合またはイオン結合することができ、このものは典型的に少なくとも１つの水素結合を含む。弱く結合した酸素の好ましい供給源は、硝酸塩、硫酸塩、亜硫酸塩、リン酸塩、リン酸塩および尿素が挙げられる。具体的な例としては、Ｈ２ＳＯ４、Ｎａ２ＳＯ４、Ｌｉ２ＳＯ４、Ｋ２ＳＯ４、Ｐｂ２ＳＯ４、Ｃｓ２ＳＯ４、Ｆｒ２ＳＯ４、ＢｅＳＯ４、ＭｇＳＯ４、ＣａＳＯ４、ＳｒＳＯ４、ＢａＳＯ４、ＲａＳＯ４、Ｈ２ＰＯ４、Ｎａ２ＰＯ４、Ｌｉ２ＰＯ４、Ｋ２ＰＯ４、Ｒｂ２ＰＯ４、Ｃｓ２ＰＯ４、Ｆｒ２ＰＯ４、ＢｅＰＯ４、ＭｇＰＯ４、ＣａＰＯ４、ＳｒＰＯ４、ＢａＰＯ４、ＲａＰＯ４を含む。他の企図する酸素供給源は、炭水化物、糖などを含む。細菌に酸素を供するのに加えて、炭水化物および糖はまた、細菌にエネルギーをも与える。
【００１９】
該酸素供給源は、上記の窒素供給源と同様であり得て、そしてそれら製剤化が好ましい。例えば、最も好ましい実施態様において、該酸素供給源は、硝酸塩、尿素またはその両方の組み合わせ由来の弱く結合した酸素である。該酸素は、該細菌の個体群にとって致死でない限り、いずれかの量で存在し得る。
【００２０】
酸素の非塩形態は、それらが比較的に安定でありまた使用もしくは細菌による消費のために容易に入手可能であるので、好ましい。加えて、該酸素の非塩形態は細菌によってより容易に消費され得て、またそれら細菌の高増殖状態(hypergrowth)を促進し得る。
【００２１】
（界面活性剤）
本明細書の本態様またはいずれか他の態様におけるいずれか特定の理論に限定されることを望まないが、我々は現在、界面活性剤は細菌が窒素および酸素の供給源を摂食するのを助けると考えている。我々はまた、界面活性剤は窒素および酸素の供給源の混合を助けるを考えている。
【００２２】
実際には、いずれの界面活性剤を、そのものが温和でそして微生物の細胞膜を破壊する傾向がない限り使用する場合には、使用することができる。適当な界面活性剤としては、石鹸、シャンプー、洗浄剤、並びに湿潤剤中に通常みられる物を含む。イオン性および非イオン性の両方の界面活性剤を企図するが、非イオン性の界面活性剤が、それらは組成物のｐＨを変える傾向がないので、好ましい。多数のクラスの界面活性剤を調べたが、我々は現在、ノニル−フェニル−エトキシ化界面活性剤を好む。好ましい実施態様において、０．００１〜５重量％の界面活性剤を使用するが、一方で最も好ましい実施態様においては、わずかに０．０２重量％の界面活性剤を使用する。従って、大量の界面活性剤を使用することを必要としないが、１種類以上の界面活性剤を使用して、該組成物の有効性を改善することができると企図する。
【００２３】
（混合）
本明細書中に特許請求する通り、水溶液中で、窒素供給源、酸素の非塩供給源および界面活性剤を組み合わせることによってにおい制御組成物を製造することを企図する。そのことは、特許請求する様式でにおい制御組成物を製造する目的で、該組み合わせを行なうという意味として読むべきである。
【００２４】
好ましいにおい制御組成物および方法は、該窒素供給源、酸素供給源および界面活性剤に加えて、水または他の水性流動体(fluid)を含む。製造する組成物の量に応じて、様々な成分を十分に、好ましくは自動混合機によって混合すべきであるが、また手動でも達成することができる。混合後に、該組成物を典型的に、酸（すなわち、６Ｍ  ＨＮＯ３または２０Ｍ  ＨＣｌ）および塩基（すなわち、６Ｍ  ＮＨ４ＯＨまたは１６Ｍ  ＮａＯＨ）を用いて、中性のｐＨにｐＨ調節する。非水性流動体を該組成物に加えることができるが、それらの組成物は、取り扱うことがより困難であることが多いために、通常好ましくない。
【００２５】
様々な濃度の組成物を本明細書に記載するが、そのものは好適に使用のために該組成物を更に希釈したりまたは濃縮することができる。例えば、濃縮した溶液は、船積みコストを低く保ったりおよび有効スペースを最小とするために、売り物として好ましいこともある。あるいは、希釈した組成物は、該組成物の保存、取り扱いおよび輸送におけるいずれかのあり得る危険を軽減するために、売り物として好ましいこともある。
【００２６】
その上、該組成物の濃度は、いくつかの因子（このものは、制御される必要があるにおいの量；該組成物の使用；該組成物の強さおよび／または有効性；環境条件（これは、温度、湿度などを含む）；該組成物中の窒素および酸素の供給源の量；利用可能な場合には、バイオマス中に存在する細菌に種類および量；並びに、様々な他の因子を含む）に応じて変わり得る。典型的な希釈は、様々な因子によるが、１：５０、１：１００および１：５００さえも含む。好ましい実施態様において、濃縮した組成物は固体であり、そしてエンドユーザーは、該組成物の所望する有効性に応じて、該製品を１：１０、１：１００、１：５００、１：１０,０００または１：４０,０００にさえも希釈することができる。風媒性においの処置の場合には、該製品は１：７００より高くにまでは希釈されないであろうと、現在考えている。
【００２７】
(マーケティングおよび用途）
マーケティングの好ましい方法とは、においを制御する際に効力を有すると該組成物を確認させるためにラベルした状態で該組成物をパッケージし、そしてそのものを売り物として企業、家庭、政府、水道局などに供することである。適当なパッケージの全ての方法を企図し、該方法としては個人的な使用のためのスプレーまたは非スプレーのボトル、並びにドラムまたは他のバルクのパッケージを含む。小さな個人用サイズのスプレーボトルもまた、ホテルの部屋のカーペットまたはベッディングおよび浴室、並びに多数のヒトの利用を受けやすい他の場所、におけるにおいを処理するために、身に付けてまたは旅行用携行品中で容易に運ぶことができると企図する。該におい制御組成物は、様々な目的（これは、部屋、領域または産業を脱臭することを含む）のために、および植物の成長刺激物質としての使用のためにさえ、販売することができる。
【００２８】
本明細書で使用する用語「効力」または「においを制御するのに有効な」とは、ヒトにとって認識することができるにおいの有意で著しい減少を意味する。においを制御する化合物は、ヒトにとって重要でなかったりまたはある物質についての「においの閾値」以下であろう、レベルにまで該においを減少することができることが好ましい。様々な物質についての標準的なにおいの閾値は公知であり、そしてインターネット上の様々なウェーブサイトから容易に入手することができる。加えて、該ラベルは、製品中に使用されている成分に関するある具体的な情報、該製品の使用法、該製品の使用に関する安全性の情報などを含む。該生成物は、様々な方法で（これは、特にインフォマーシャルによる方法を含む）、好適に売り物として供することができる。いくつかの例は、ラジオ、テレビ、新聞または他の定期刊行物、パンフレットによって該製品の販売を宣伝し；該製品を商品展示会において紹介し；および、該製品を店でまたはインターネットで売ることを含む。
【００２９】
空気中に長くたたずむにおいは、該におい制御組成物のミストまたは霧を該空気中にスプレーすることによって処理することができ、そして除けることが多い。該ミストまたは霧はまた強制的に(forced)空気を加熱もしくは冷却するシステム、または他の自動運搬システムによって供することができるが、手動で操作するスプレーボトルまたはエアロゾル容器を該目的に使用することができる。廃棄施設、工場、およびにおいの問題が繰り返されやすい他の領域内で、該スプレーすることが１日のある期間で自動的に起こるように好適にプログラミングすることができる。
【００３０】
該企図するにおい制御溶液を含有する霧を、使用することもできる。この場合に、霧は、平均的な直径が２５ミクロンよりも小さい粒子を有するマイクロ蒸気として定義される。あり得る肺の問題を避けるために、該霧粒子はヒトが呼吸するのに安全であるべきである。特に、好ましい霧は、平均サイズが少なくとも２ミクロンサイズ、より好ましくは少なくとも５ミクロン、およびより一層好ましくは少なくとも１０ミクロンを有する粒子を含む。使用する霧の量は、多数の因子（これは、制御される必要があるにおいの量を含む）によるであろう。ある廃棄物処理設備において、我々は、３６００平方フィートの設備中のにおいを十分に制御するのに、１日当たりわずか１０オンスのにおい制御組成物が必要であることを見出した。適当な霧は、超音波気化器（このものは、好適に部屋の上部に置くことができる）を用いて調製することができる。該霧は下方に移動し、そしてそのものが地面に移動するにつれて該空気中のにおいを除き、そして地面に当たった後、作用し続ける。分散（disbursement)は、手でまたは上記の強制的な空気システムによっても達成することができる。
【００３１】
におい制御化合物を用いる上記の空気の処置方法は、当然禁忌が存在する場合を除いて、実質的ににおいで問題を被っているいずれかの公共の場または個人的な場において使用することができる。特にある利用可能性が、家庭、事務所、工場および他の商業的な施設、便所および他の公共の場、下水およびごみ処理施設、農場および他の農業地域、並びに医学的設備について見られる。
【００３２】
におい制御組成物は、空気中で（上記）、固体表面上で使用することができ、また液体および他の流動体（例えば、廃棄処理施設中にみられるもの）に加えることもできる。典型的には、該物質の固体表面を該におい制御溶液でスプレーしたりまたはすりつける。このものとしては特に、床、トイレット、ベッド、カーペット、ネコのシート、壁、くず入れ、工具、布、子猫用容器などを含む。
【００３３】
本明細書に記載するにおい制御組成物は好適に、パイプ中で運ばれたり、大桶(vat)中に沈殿したり、またはいずれかの他の処理段階で存在する、下水に加えることができる。例えば、船の下水槽(holding tank)中のほぼ２０ガロンの液体下水タイプ廃棄物におけるおよその出発用量として、１オンスの好ましい組成物が、好気性活性を刺激するのにおよび嫌気性活性の低下を与えるのに（これは、バイオマス中に残っている硫化水素の量によって測定される）、十分であり得る。においの減少は約数分間で達成することができる、と企図する。しかしながら、においの減少は、処理するシステムに存在する条件、存在する細菌の量および種類、様々な環境因子などにより、より長くかかることがある。例えば、約３００,０００ガロンの下水を運ぶフォースベッド(force bed)下水パイプの場合には、約５ガロンのにおい制御組成物を毎日加えると、最初のにおいの制御は数分間でも達成することができ、一方で更なるにおいの制御（長期間のにおいの制御）は均一な分布が得られるにつれて達成することができる。
【００３４】
実験的に、我々は、におい制御組成物を、細菌の生物学的な刺激またはその関連機構によってある一定の期間をかけてパイプ中のＦＯＧ（脂肪、油およびグリース）の有意な減少を得るのに十分な量で、下水にコスト上効率よく加えることができることを見出した。ＦＯＧの有意な減少を得るのに必要とされる時間の量は、多数の因子（例えば、温度、存在するＦＯＧの量、除かれるにおいの量、使用する組成物の量、存在する通性または好気性の細菌の量および種類、並びに細菌が該組成物に応答する際に速度）に依存する。従って、該期間はだいたい５日間〜８カ月間、好ましくは少なくとも２週間、または該条件があまり適合し得ない場合にはより長期でさえ変わり得る。
【００３５】
水または他の流動体の固まりもまた、該におい制御組成物を用いて処理することができる。そのことで、該におい制御流動体を該水の固まりに直接に加えてにおいを減少することができた。特に、企図する実施態様において、好ましいにおい制御組成物は十分に非毒性であり得て、それらは装置、床、壁、固形物、動物のおり、様々な種類の産業などを洗浄し、すすぎ、または処理するために水に安全に加えることができる。
【００３６】
加えて、におい制御組成物を用いて、水性培地または他の同様なもしくは関連するプロセス中、で生じる廃棄産物を分解したりまたは消化する細菌を生物学的に刺激することもできる。
【００３７】
におい制御のための方法および組成物の具体的な実施態様および使用法を開示する。しかしながら、当該分野の当業者にとって、既に記載した以外のより多数の改変が明細書に記載の本発明の概念を逸脱することなく可能であることは、明白であるべきである。従って、本発明の内容は、特許請求の範囲の精神を除いて制限されるべきではない。その上、本明細書および特許請求の範囲の両方を解釈する際に、全ての用語を文脈と一致する最も広い可能な様式で解釈すべきである。特に、要素、構成成分または段階を呼称する場合に、用語「含む」および「含むため」は非排他的な様式で解釈すべきであり、従ってそれらの呼称する要素、構成成分または段階は、表現上呼称されていない他の要素、構成成分または段階と合わせて存在し、使用しまたは組み合わせることができることを示す。
【手続補正書】
【提出日】平成16年2月3日(2004.2.3)
【手続補正１】
【補正対象書類名】特許請求の範囲
【補正対象項目名】全文
【補正方法】変更
【補正の内容】
【特許請求の範囲】
【請求項１】
窒素供給源、酸素の非塩供給源および界面活性剤を水溶液中で組み合わせることを含む、におい制御組成物の製造法。
【請求項２】
窒素供給源は硝酸塩を含む、請求項１に記載の方法。
【請求項３】
硝酸塩は硝酸アンモニウムを含む、請求項２に記載の方法。
【請求項４】
硝酸塩は硝酸カルシウムおよび硝酸カリウムの少なくとも１つを含む、請求項２に記載の方法。
【請求項５】
窒素供給源は尿素である、請求項１に記載の方法。
【請求項６】
酸素供給源は弱く結合している酸素を含む、請求項１に記載の方法。
【請求項７】
界面活性剤は、ノニル−フェニル−エトキシ化化合物を含む、請求項１に記載の方法。
【請求項８】
界面活性剤は非イオン性である、請求項１に記載の方法。
【請求項９】
請求項１に記載のにおい制御組成物を含有する販売用パッケージであって、該組成物はにおいを制御する際に効力を有すると記載するラベルを有する、該パッケージ。
【請求項１０】
ある量の請求項１に記載のにおい制御組成物をある量の下水に加えることを含む、下水処理施設内のにおいを制御する方法。
【請求項１１】
下水をパイプによって運び、そしてある量の該下水に対するある量のにおい制御組成物が少なくとも１週間の期間にわたって、該パイプ中のＦＯＧ（脂肪、油およびグリース）の有意な減少を与えるのに十分である、請求項１０に記載の方法。
【請求項１２】
ある量の請求項１に記載のにおい制御組成物を空気中にスプレーすることを含む、大量の空気中のにおいを制御する方法。
【請求項１３】
大量の空気中のにおいを制御する方法であって、ある量の請求項１に記載のにおい制御組成物をサイズが少なくとも２ミクロンである粒子を含有する乾燥霧の形態で空気中にスプレーすることを含む、該方法。
【請求項１４】
ある量の請求項１に記載のにおい制御組成物を物の固体表面上に適用することを含む、該物から発散するにおいを制御する方法。
【請求項１５】
物はネコのわらくずである、請求項１４に記載の方法。
【請求項１６】
バイオマス中の通性細菌の好気性活性を刺激する方法であって、ある量の請求項１に記載のにおい制御組成物を、好気性活性の有意な刺激を得るのに十分な濃度で該バイオマスに加えることを含む、該方法。
【請求項１７】
請求項１に記載のにおい制御組成物を含む、におい制御製品。
【請求項１８】
硝酸アンモニウムおよび尿素の少なくとも１つ；硝酸カルシウム；および硝酸カリウムを含む、におい制御製品。
【請求項１９】
更に少なくとも０．００１重量％の界面活性剤を含む、請求項１８に記載のにおい制御製品。
【請求項２０】
硝酸アンモニウムおよび硝酸カルシウムの少なくとも１つは少なくとも２乾燥重量％を含む、請求項１８に記載のにおい制御製品。
【請求項２１】
尿素は該製品の少なくとも２乾燥重量％を含む、請求項１８に記載のにおい制御製品。
【請求項２２】
硝酸カリウムは該製品の少なくとも０．０１乾燥重量％を含む、請求項１８に記載のにおい制御製品。
【手続補正書】
【提出日】平成16年8月6日(2004.8.6)
【手続補正１】
【補正対象書類名】特許請求の範囲
【補正対象項目名】全文
【補正方法】変更
【補正の内容】
【特許請求の範囲】
【請求項１】
窒素供給源、酸素の非塩供給源および界面活性剤を水溶液中で組み合わせることを含む、におい制御組成物の製造法。
【請求項２】
窒素供給源は硝酸塩を含む、請求項１に記載の方法。
【請求項３】
硝酸塩は硝酸アンモニウムを含む、請求項２に記載の方法。
【請求項４】
硝酸塩は硝酸カルシウムおよび硝酸カリウムの少なくとも１つを含む、請求項２に記載の方法。
【請求項５】
窒素供給源は尿素である、請求項１に記載の方法。
【請求項６】
酸素供給源は弱く結合している酸素を含む、請求項１に記載の方法。
【請求項７】
界面活性剤は、ノニル−フェニル−エトキシ化化合物を含む、請求項１に記載の方法。
【請求項８】
界面活性剤は非イオン性である、請求項１に記載の方法。
【請求項９】
請求項１に記載のにおい制御組成物を含有する販売用パッケージであって、該組成物はにおいを制御する際に効力を有すると記載するラベルを有する、該パッケージ。
【請求項１０】
ある量の請求項１に記載のにおい制御組成物をある量の下水に加えることを含む、下水処理施設内のにおいを制御する方法。
【請求項１１】
下水をパイプによって運び、そしてある量の該下水に対するある量のにおい制御組成物が少なくとも２週間の期間にわたって、該パイプ中のＦＯＧ（脂肪、油およびグリース）の有意な減少を与えるのに十分である、請求項１０に記載の方法。
【請求項１２】
ある量の請求項１に記載のにおい制御組成物を空気中にスプレーすることを含む、大量の空気中のにおいを制御する方法。
【請求項１３】
大量の空気中のにおいを制御する方法であって、ある量の請求項１に記載のにおい制御組成物をサイズが少なくとも５ミクロンである粒子を含有する乾燥霧の形態で空気中にスプレーすることを含む、該方法。
【請求項１４】
ある量の請求項１に記載のにおい制御組成物を物の固体表面上に適用することを含む、該物から発散するにおいを制御する方法。
【請求項１５】
物はネコのわらくずである、請求項１４に記載の方法。
【請求項１６】
バイオマス中の通性細菌の好気性活性を刺激する方法であって、ある量の請求項１に記載のにおい制御組成物を、好気性活性の有意な刺激を得るのに十分な濃度で該バイオマスに加えることを含む、該方法。
【請求項１７】
請求項１に記載のにおい制御組成物を含む、におい制御製品。
【請求項１８】
硝酸アンモニウムおよび尿素の少なくとも１つ；硝酸カルシウム；および硝酸カリウムを含む、におい制御製品。
【請求項１９】
更に少なくとも０．０１重量％の界面活性剤を含む、請求項１８に記載のにおい制御製品。
【請求項２０】
硝酸アンモニウムおよび尿素の少なくとも１つは少なくとも３８乾燥重量％を含む、請求項１８に記載のにおい制御製品。
【請求項２１】
尿素は該製品の少なくとも１９乾燥重量％を含む、請求項１８に記載のにおい制御製品。
【請求項２２】
硝酸カリウムは該製品の少なくとも０．０５乾燥重量％を含む、請求項１８に記載のにおい制御製品。
【請求項２３】
好気性活性の有意な刺激を与える請求項１６記載の方法であって、更にバイオマスについてのにおいの閾値以下のレベルにまでにおいを減少させることを含む、該方法。
【国際調査報告】
2005527340.tif 000002
2005527340.tif 000003